(57)【要約】【課題】  ネジ廻し用穴の破損や摩耗したネジを安全に、かつ確実に取り外し出来るネジ外し用ビットを提供する。【解決手段】  ネジ５のネジ廻し用穴６にネジ外し用ビット１００の薄肉切刃部２を食い込ませてその頭部７に新たな溝１１を形成する。これにより柄部１０を逆廻しすることによりネジ５を取り外すことが出来る。【選択図】  図１
2014100742.tif 000002
【特許請求の範囲】
【請求項１】
ネジの頭部のネジ廻し用穴が崩れて取り外しが難しいネジを容易に取り外すために使用するビットであって、該ビットは細長な柄部の先端に鈍角の刃部を形成するものからなり、前記刃部は、先端に形成される一直線状の薄肉切刃部と該切刃部から前記先端の角度に沿って左右に形成されるラウンド部と該ラウンド部と対峙する位置において形成され前記切刃部から前記柄部に向かって凹設する凹状部とからなることを特徴とするネジ外し用ビット。
【請求項２】
前記柄部がその横断面の六角状の硬質棒体からなることを特徴とする請求項１に記載のネジ外し用ビット。
【発明の詳細な説明】
【技術分野】
【０００１】
本発明は、使用によってネジ廻し用穴が崩れて取り外しが難しくなったネジを容易に、かつ効率的に取り外すことの出来るネジ外し用ビットに関する。
【背景技術】
【０００２】
ネジ廻し用穴は一般的には破損されない状態に保持されるが、中には破損や摩耗によってネジ廻しが不可能の状態になるものも存在する。この場合、無理な手段でそのネジを取り外すことは出来るが、ネジ込みされている部材や装置等やネジそのものにダメージを与える恐れがある。従って、ネジ廻し用穴がダメになっているネジを安全に、かつ確実に取り外す手段が必要となる。
【０００３】
そのために、従来より各種のネジ外し用の工具が開発され、その中でもネジ外し用ビットが色々と開示されている。
本願の発明に比較的近いネジ外し用ビットとし、例えば「特許文献１」が挙げられる。
【先行技術文献】
【特許文献】
【０００４】
【特許文献１】特開平１０−２３０４７０号（図１）
【発明の概要】
【発明が解決しようとする課題】
【０００５】
前記の「特許文献１」の「特開平１０−２３０４７０号」の「ねじビット並びにねじ山等が損形した場合のねじ外し具」はネジ廻し用穴が完全に破損したり消滅しているようなねじに対してそのねじを取り外すのに有効なねじ外し具であるが、その構造の特徴としてはビットの先端（６）に中心より鋭角（９０度以下）の角度の刃部を形成したものであり、後に説明する本願の発明のように切刃部が鈍角に形成されると共にこの鈍角形状の一直線状の薄肉切刃部から柄部側に向かってラウンド部や凹状部を形成し、強度と破壊力を兼ね備えたものとは大きく相違するものである。
【０００６】
本発明は、以上の事情に鑑みて創案されたものであり、ネジ廻し用穴が破損したり摩耗したネジの取り外しが確実に出来、強度的にも高いネジ外し用ビットを提供することを目的とする。
【課題を解決するための手段】
【０００７】
本発明は、以上の目的を達成するために、請求項１の発明は、ネジの頭部のネジ廻し用穴が崩れて取り外しが難しいネジを容易に取り外すために使用するビットであって、該ビットは細長な柄部の先端に鈍角の刃部を形成するものからなり、前記刃部は、先端に形成される一直線状の薄肉切刃部と該切刃部から前記先端の角度に沿って左右に形成されるラウンド部と該ラウンド部と対峙する位置において形成され前記切刃部から前記柄部に向かって凹設する凹状部とからなることを特徴とする。
【０００８】
また、請求項２の発明は、前記柄部がその横断面の六角状の硬質棒体からなることを特徴とする。
【発明の効果】
【０００９】
本発明の請求項１のネジ外し用ビットによれば、細長な柄部の先端に形成されている刃部としては一直線状の薄肉切刃部とラウンド部と凹状部からなり、薄肉切刃部は鋭い刃を形成し食い込み力が大きいと共に鈍角であり強度的にも高い。また、ラウンド部により押圧時においても剛性があり対手のネジに当接してビット全体のフラツキを防止する機能を有し、凹状部は薄肉切刃部による食い込み性の向上を図る機能を有するものからなり、強度と食い込み力の高い効果を上げることが出来る。
【００１０】
また、請求項２のネジ外し用ビットによれば、柄部が六角形状のものからなり、薄肉切刃部とラウンド部及び凹状部の形成が高精度に形成出来る効果を有すると共に柄部は硬質棒体からなり、剛性の高いビットとしての効果を上げることが出来る。
【図面の簡単な説明】
【００１１】
【図１】本発明のネジ外し用ビットの全体構造を示す正面図（ａ），（ｂ）はその側面図，（ｃ）は（ａ）の上面図。
【図２】本発明のネジ外し用ビットによるネジの取り外し作用を説明するための模式的説明図であり、（ａ）は取り外し前、（ｂ）は食い込み状態を示す。
【図３】本発明のネジ外し用ビットの外観図。
【発明を実施するための形態】
【００１２】
以下、本発明のネジ外し用ビットの実施の形態を図面を参照して詳述する。
図１（ａ），（ｂ），（ｃ）に示すように本実施例のネジ外し用ビット１００は六角形の硬質棒材の柄部１０の先端に刃部１を形成したものからなる。
【００１３】
この刃部１は図１の（ａ），（ｂ），（ｃ）に示す構造のものからなり一直線状の薄肉切刃部２とこの薄肉切刃部２から左右方向に先端の角度に沿って柄部１０側に向かって形成されるラウンド部３と同じく薄肉切刃部から左右方向に左右のラウンド部３と対峙する位置に形成させる凹状部４等とから形成される。なお、薄肉切刃部２は鈍角（図示では約１４０度）に形成され鈍角のものに較べて鋭いものではないが強度的には非常に高いものからなる。
また、ラウンド部３は薄肉切刃部２がネジ５（図２）に食い込む際にネジ５のネジ廻し用穴６から外れた頭部７に圧接し、ネジ外し用ビット１００を安定的に支持する機能を果すものと思考される。一方、凹状部４は薄肉切刃部２の食い込み力を高める機能を果すものと思考される。
【００１４】
図２（ａ），（ｂ）は本実施例のネジ外し用ビット１００によるネジ外しの作用を説明するものである。ネジ５にはその頭部７のその中央部にネジ廻し用穴６が形成されたものからなり、そのネジ部８を対象物９にネジ込みした状態に保持されている。
【００１５】
まず、図２（ａ）に示すように本発明のネジ外し用ビット１００をネジ５のネジ廻し用穴６の位置に薄肉切刃部２が当る位置に位置決めする。次に、図略の押圧手段によりネジ外し用ビット１００をネジ５側に押圧することにより薄肉切刃部２がネジ廻し用穴６に食い込み、頭部５の一部に新たな溝１１を形成する。よって、ネジ外し用ビット１００はネジ５をネジ廻しすることが可能となる。この状態でネジ外し用ビット１００をネジ込み方向と逆方向に回転させることによりネジ外し用ビット１００と一体的構造になっているネジ５を対象物９から取り外すことが容易に出来る。
なお、ネジ外し用ビット１００の刃部１は前記のように鈍角に形成されており、ラウンド部３があるため高強度のものからなり、食い込みも確実に行うことが出来る。
【００１６】
本発明は、以上の内容のものからなるが、本発明は以上の内容に限定されるものではなく、同一技術的範疇のものが適用されることは勿論である。
【産業上の利用可能性】
【００１７】
本発明は、ネジ廻し用穴のあるすべてのネジに対して適用可能であり、その利用範囲は極めて広い。
【符号の説明】
【００１８】
１    刃部
２    薄肉切刃部
３    ラウンド部
４    凹状部
５    ネジ
６    ネジ廻し用穴
７    頭部
８    ネジ部
９    対象物
１０  柄部
１１  新たな溝
【図１】
2014100742.tif 000003
【図２】
2014100742.tif 000004
【図３】
2014100742.tif 000005